(57)【要約】【課題】商品に割り付けられていない未使用のメッセージデータを確認して削除可能とし、メモリの使用容量の削減を図ること。【解決手段】商品に関するデータのうち商品データに割り付けられていないメッセージデータを抽出部によりメッセージファイルから抽出し、このメッセージデータを表示部によって表示し、この表示されているメッセージデータのうち削除指示を受けたメッセージデータを削除部によってメッセージファイルから削除する。【選択図】図７
2011031607.tif 000002
【特許請求の範囲】
【請求項１】
商品の名称を含む商品データを商品別に記憶する商品ファイルと、
前記商品データに割り付けられ、前記商品データと組み合わされるメッセージデータを記憶するメッセージファイルと、
前記商品データに割り付けられた前記メッセージデータを前記商品データに付加してラベルに印字する印字部と、
前記商品データの何れにも割り付けられていない前記メッセージデータを前記メッセージファイルから抽出する抽出部と、
前記抽出部により抽出した前記メッセージデータを表示する表示部と、
前記表示部により表示した前記メッセージデータを前記メッセージファイルから削除する削除部と、
を具備することを特徴とするプリンタ。
【請求項２】
前記メッセージファイルは、前記商品に含まれている添加物の情報をメッセージデータとして有する添加物ファイルと、前記商品の販売促進を補助する補助メッセージデータをメッセージデータとして有する補助メッセージファイルとを含むことを特徴とする請求項１記載のプリンタ。
【請求項３】
前記メッセージファイルは、前記メッセージデータが前記商品データの少なくとも１つの何れかに割り付けられているか否かを表す判別情報を含み、
前記抽出部は、前記判別情報に基づいて前記メッセージファイルから前記商品データの何れにも割り付けられていない前記メッセージデータを抽出し、
前記表示部は、前記抽出部により抽出された前記メッセージデータを表示し、
前記削除部は、前記表示部により表示されている前記メッセージデータを削除する、
ことを特徴とする請求項１記載のプリンタ。
【請求項４】
商品の名称を含む商品データを商品別に記憶する第１の記憶部と、
前記商品データに割り付けられるメッセージデータと前記メッセージデータが前記商品データの少なくとも１つの何れかに割り付けられているか否かを表す判別情報とから成るメッセージレコードを記憶する第２の記憶部と、
前記判別情報に基づいて、前記商品データの何れにも割り付けられていない前記メッセージデータを抽出する抽出部と、
前記抽出部により抽出された前記メッセージデータを表示する表示部と、
前記表示部により表示されている前記メッセージデータを前記第２の記憶部から削除する削除部と、
を具備することを特徴とするプリンタ。
【請求項５】
商品の名称を含む商品データを商品別に記憶する商品ファイルと、前記商品データに割り付けられ、前記商品データと組み合わされるメッセージデータを記憶するメッセージファイルと、前記メッセージデータを表示する表示部とを備え、前記商品データに割り付けられた前記メッセージデータを前記商品データに付加してラベルに印字するプリンタを制御するコンピュータに、
前記商品データの何れにも割り付けられていない前記メッセージデータを前記メッセージファイルから抽出させる抽出機能と、
前記抽出機能により抽出された前記メッセージデータを前記表示部に表示させる表示機能と、
前記表示機能により表示された前記メッセージデータを前記メッセージファイルから削除させる削除機能と、
を実現させるためのメッセージデータ管理プログラム。
【請求項６】
商品の名称を含む商品データを商品別に記憶する第１の記憶部と、前記商品データに割り付けられるメッセージデータと前記メッセージデータが前記商品データの少なくとも１つの何れかに割り付けられているか否かを表す判別情報とから成るメッセージレコードを記憶する第２の記憶部と、前記メッセージデータを表示する表示部とを備え、前記商品データに割り付けられた前記メッセージデータを前記商品データに付加してラベルに印字するプリンタを制御するコンピュータに、
前記判別情報に基づいて、前記商品データの何れにも割り付けられていない前記メッセージデータを前記第２の記憶部から抽出させる抽出機能と、
前記抽出機能により抽出された前記メッセージデータを前記表示部に表示させる表示機能と、
前記表示機能により表示された前記メッセージデータを前記第２の記憶部から削除させる削除機能と、
を実現させるためのメッセージデータ管理プログラム。
【発明の詳細な説明】
【技術分野】
【０００１】
本発明は、例えば商品名及び単価等を有する商品データに対し、例えば商品への添加物、産地、保存方法等の商品に関するメッセージデータを付加し、これらのデータをラベルに印字するプリンタ及びメッセージデータ管理プログラムに関する。
【背景技術】
【０００２】
例えば、スーパーマーケット等では、ラベルプリンタが使用される。このラベルプリンタは、各商品の例えば名称、価格、原材料名、添加物名、原産地、保存方法、保存温度等をラベルの印字面に印字する。ラベルプリンタにより印刷されたラベルは、個々の商品に付けられる。  
各商品の名称は、一般的には、店で売上を管理する商品種別毎に異なる。価格は、一般的な商品では、同じ商品種別であれば、同じであるが、個々にラベルが付される食品等の商品の場合には、同じ商品種別の商品であっても、各食品個々の内容物の質量の違いに伴って異なることもある。
【０００３】
また、原材料名、添加物名、原産地は、各食品の中身によって定まり、その違いに伴って異なる。中身が同じ食品の場合には、商品種別が異なっている商品同士であっても、原材料名、添加物名、原産地は同じものになる。一般的には、各食品には、幾つもの複数の異なった多種多様な原材料、添加物が使われており、各食品の原材料、添加物は、それぞれに群を成している。各食品のラベルには、幾つもの原材料名、添加物名を連ね並べて印字する。保存方法、保存温度も、各食品の中身によって定まるが、その包装の違いによっても異なる。
【０００４】
ラベルに印字する商品名称は、ＰＯＳ（Point Of Sales）システムで使うＰＬＵ(Price Look Up)ファイルの商品データ中のものを流用することが多い。これに対し、原材料名、添加物名、原産地、保存方法、保存温度等のメッセージデータは、ラベルプリンタの印字データとして独自に個々に設定しなければならない。
【０００５】
ラベルプリンタでは、商品の名称及び単価等を有する商品データと、商品への添加物、産地又は保存方法等の商品に関するメッセージデータとをそれぞれ別ファイルで記憶すると共に、メッセージデータも添加物、産地、保存方法等もそれぞれ各項目別にファイル化されて記憶している。これらデータをラベルに印刷する場合、ラベルプリンタでは、ラベルに印刷する商品名及び単価等を有する商品データに対して添加物、産地又は保存方法等のメッセージデータを割り付けることにより、ラベルに商品データとメッセージデータとを印刷する。又、１つのメッセージデータは、複数の商品に割り付けられることを可能としている。例えばおにぎり１個の商品とおにぎり２個の商品とは、別々の商品であるが、これら商品には、例えば１つの添加物のメッセージデータが割り付けられる。ラベルプリンタに関する技術としては、例えば特許文献１、２に開示されている。
【先行技術文献】
【特許文献】
【０００６】
【特許文献１】特開２００１−１８００４９号公報
【特許文献２】特開平５−６４９３７号公報
【発明の概要】
【発明が解決しようとする課題】
【０００７】
しかしながら、商品データとメッセージデータとは、別々のファイルとして記憶されて読み出し制御されるので、メッセージデータのファイルを読み出しただけでは、どのメッセージデータがどの商品データに割り付けられているか判らない。  
商品には、例えば秋の期間のみに販売する季節物の商品や一度限り販売する商品等のように販売が終了すると無くなる商品もある。このような季節物の商品を含めて１つのメッセージデータは、複数の商品に割り付けられている。１つの商品に１つのメッセージデータが割り付けられていることが明確に判明していれば、この１つの商品が抹消したときに、当該商品に割り付けられている１つのメッセージデータを削除することが可能である。
【０００８】
しかしながら、１つのメッセージデータは、複数の商品に割り付けられる可能性があるために、１つの商品が抹消したとしても、当該抹消された商品に割り付けられているメッセージデータが他の商品に割り付けられている可能性があるために、当該メッセージデータをメモリから削除することができない。これにより、メッセージデータのメモリには、商品に割り付けられているメッセージデータであるのか、又は割り付けられていないメッセージデータであるのかその使用状況の判らないメッセージデータが存在することになる。このため、メッセージデータのメモリに記憶されているデータ数が多くなり、当該メモリに対して記憶可能なデータ数すなわち記憶可能なメモリ容量が小さくなった場合、使用状況の判らないメッセージデータが存在することで、メモリ容量を圧迫することになる。
【０００９】
本発明の目的は、商品に割り付けられていない未使用のメッセージデータを確認して削除可能とし、メモリの使用容量の削減を図ることができるプリンタ及びメッセージデータ管理プログラムを提供することにある。
【課題を解決するための手段】
【００１０】
本発明の主要な局面に係るプリンタは、商品の少なくとも名称を含む商品データを商品別に記憶する商品ファイルと、商品データに割り付けられ、商品データと組み合わされるメッセージデータを記憶するメッセージファイルと、商品データに割り付けられたメッセージデータを商品データに付加してラベルに印字する印字部と、商品データの何れにも割り付けられていないメッセージデータをメッセージファイルから抽出する抽出部と、抽出部により抽出したメッセージデータを表示する表示部と、表示部により表示したメッセージデータをメッセージファイルから削除する削除部とを具備する。
【発明の効果】
【００１１】
本発明によれば、商品に割り付けられていない未使用のメッセージデータを確認して削除可能とし、メモリの使用容量の削減を図ることができる。
【図面の簡単な説明】
【００１２】
【図１】本発明の一実施の形態のラベルプリンタを示す外観図。
【図２】同プリンタに内蔵されているプリント制御回路を示す構成図。
【図３】同プリンタに記憶されている品番ファイルの一例を示す摸式図。
【図４】同プリンタに記憶されている付加メッセージデータの摸式図。
【図５】同プリンタに記憶されている添加物ファイルの一例を示す摸式図。
【図６】同プリンタに記憶されている補助メッセージファイルの一例を示す摸式図。
【図７】同プリンタにおけるＣＰＵの機能ブロック図。
【図８】同プリンタにおける添加物ファイルのメッセージ管理フローチャート。
【図９】同プリンタのディスプレイに表示された未使用の添加物データの内容を示す図。
【図１０】同プリンタにおける補助メッセージファイルのメッセージ管理フローチャート。
【図１１】同プリンタのディスプレイに表示された未使用の補助メッセージファイルを示す図。
【図１２】同プリンタのディスプレイに表示された補助メッセージファイルを示す図。
【発明を実施するための形態】
【００１３】
以下、本発明の一実施の形態について図面を参照して説明する。  
図１はラベルプリンタ１の外観図を示す。ラベルプリンタ１は、商品名や価格等をラベルに印字する。  
ラベルプリンタ１は、商品名及び単価等を有する商品データと、商品への添加物、産地又は保存方法等の商品に関するメッセージデータとをそれぞれ別ファイルで記憶する。また、メッセージデータを記憶するファイルは、各項目別に別ファイルとして記憶する。  
ラベルプリンタ１は、商品データとメッセージデータとをラベルに印刷する場合、ラベルに印刷する商品データに対してメッセージデータを割り付け、商品データとメッセージデータとをラベルに印刷する。１つのメッセージデータは、複数の商品に共通して割り付けられることがある。例えばおにぎり１個の商品とおにぎり２個の商品とは、別々の商品である。各商品には、それぞれ例えば同一の添加物のメッセージデータが割り付けられる。
【００１４】
ラベルプリンタ１は、プリンタ本体２を備える。ラベルプリンタ１は、プリンタ本体２に、操作部３と、表示部４と、プリンタユニット５と、重量計測器６と、電源スイッチ７とを含む。  
操作部３は、ラベルプリンタ１を操作するための各種操作キーを備える。表示部４は、タッチパネル式の液晶ディスプレイ（ＬＣＤ）４ａと、液晶ディスプレイ（ＬＣＤ）４ａの表示画面上に設けられたタッチパネル４ｂとを含む。表示部４は、ラベルプリンタ１の各処理内容に応じた各種情報、例えばラベルに印字するデータ等を液晶ディスプレイ４ａに表示する。表示部４は、操作者によるタッチ操作を受け付けると、タッチパネル４ｂからタッチ位置に応じた信号を出力する。
【００１５】
プリンタユニット５は、内部にプリンタ機構を備える。プリンタユニット５は、排出口５ａを含む。プリンタユニット５は、プリンタ機構によりラベル用紙に印字を行い、印刷結果であるラベルを排出口５ａから排出する。プリンタユニット５は、プリンタ本体２内にスライド式で収納されている。プリンタユニット５は、プリンタ本体２に設けられたレール上を走行し、ラベルプリンタ１の正面方向に出し入れ可能である。
【００１６】
重量計測器６は、秤台６ａを備え、秤台６ａの上面に載置された商品等の重量を計測する。電源スイッチ７は、商用交流電源から供給される電力をラベルプリンタ１に対してオン／オフする。  
図２はプリント制御回路１０の構成図を示す。プリント制御回路１０は、プリンタ本体２に内蔵されている。プリント制御回路１０は、ラベルプリンタ１のラベル印字の動作を制御する。プリント制御回路１０は、ＣＰＵ１１を内蔵する。ＣＰＵ１１には、バス１２を介して表示部４のタッチパネル４ａと、液晶ディスプレイ４ｂと、プリンタユニット５と、ＲＡＭ１３と、フラッシュメモリ（ＦＬＡＳＨ ＲＯＭ）１４と、メモリカード１５とが接続されている。メモリカード１５は、バス１２に対して着脱可能である。
【００１７】
メモリカード１５には、品番ファイル１６とメッセージファイル１７とが記憶されている。品番ファイル１６とメッセージファイル１７とは、メモリカード１５に記憶するに限らず、不揮発性のメモリに記憶すればよい。  
品番ファイル１６は、例えば図３に示すように、品番、商品コード、商品名、単価等を含む。  
この実施の形態における付加メッセージファイルであるメッセージファイル１７は、例えば図４に示すような添加物ファイル１７ａと、補助メッセージファイル１７ｂとを含む。
【００１８】
添加物ファイル１７ａは、図５に示す添加物番号１のように、商品に添加物が含まれていないことを示す情報を含む。  
補助メッセージファイル１７ｂは、図６に示すように、販売を促進するための補助のメッセージを含む。補助メッセージファイル１７ｂは、例えば「お買得品」「奉仕品」「今月は休まず毎日夜８：００まで営業します」等の付加メッセージデータを含む。
【００１９】
品番ファイル１６の具体的な一例について図３に示す模式図を参照して説明する。品番ファイル１６は、各商品に対応付けられた品番レコードを複数有する。各品番レコードは、品番（Ｎｏ）の欄１６−１、商品コードの欄１６−２、商品名の欄１６−３、単価の欄１６−４、添加物番号の欄１６−５、補助メッセージ番号の欄１６−６、それぞれに設定記憶される幾つかのデータからなる。品番（Ｎｏ）の欄１６−１には、各商品の各品番、例えばＮｏ．１、Ｎｏ．２、…、Ｎｏ．ｍ等が設定記憶される。品番は、各商品レコードを識別するための第１の識別番号となる。商品コードの欄１６−２には、各商品の各商品コードが設定記憶される。単価の欄１６−４には、各商品の各単価が設定記憶される。
【００２０】
添加物番号の欄１６−５には、商品に添加されている添加物データの番号が設定記憶される。添加物データの番号は、図５に示す添加物ファイル１７ａ中の添加物番号１７ａ−１の欄に設定記憶されている番号である。添加物番号の欄１６−５は、添加物ファイル１７ａの添加物番号の欄１７ａ−１にリンクしている。ＣＰＵ１１は、添加物番号の欄１６−５に設定記憶されている番号を読み取ることにより、添加物ファイル１７ａから該当する添加物番号の添加物データ１７ａ−３を読み取ることが可能である。
【００２１】
補助メッセージ番号の欄１６−６には、商品データに付加される補助メッセージの番号が設定記憶される。補助メッセージの番号は、図６に示す補助メッセージファイル１７ｂ中の補助メッセージ番号の欄１７ｂ−１に設定記憶されている番号である。補助メッセージ番号の欄１７ｂ−１は、補助メッセージファイル１７ｂの補助メッセージ番号の欄１７ｂ−１にリンクしている。ＣＰＵ１１は、補助メッセージ番号の欄１７ｂ−１に設定記憶されている番号を読み取ることにより、補助メッセージファイル１７ｂから該当する補助メッセージ番号の補助メッセージ１７ｂ−３を読み取ることが可能である。
【００２２】
添加物ファイル１７ａの具体的な一例について図５に示す模式図を参照して説明する。添加物ファイル１７ａは、複数の添加物品番（Ｎｏ）毎の各添加物レコードを有する。添加物ファイル１７ａは、添加物番号の欄１７ａ−１と、商品に添加物データを割り付けているか否かを示す欄１７ａ−２と、商品に添加する添加物の内容を示すデータを設定記憶する欄１７ａ−３とを有する。添加物番号の欄１７ａ−１には、Ｎｏ．１、Ｎｏ．２、…、Ｎｏ．２０等の各添加物レコードを識別するための第２の識別番号である添加物番号が順番に設定記憶されている。添加物使用の欄１７ａ−２は、添加物番号Ｎｏ．１、Ｎｏ．２、…、Ｎｏ．２０等に対応する添加物データが商品に割り付けられているか否かを示す判別情報が設定記憶されている。判別情報は、例えば添加物フラグＦにより記述される。添加物フラグＦは、例えば「０」又は「１」に設定される。添加物フラグＦが「０」であれば、添加物データが商品に割り付けられていないことを示す。添加物フラグＦが「１」であれば、添加物データが商品に割り付けられていることを示す。添加物データの欄１７ａ−３には、添加物のデータが設定記憶されている。添加物番号のＮｏ．１は、商品に添加物が添加されていない無添加である。添加物のデータは、図５に例示した添加物ファイル１７ａにおいては、例えば添加物番号Ｎｏ．２であれば、ＰＨ調整剤、フラボノイド色素等である。
【００２３】
補助メッセージファイル１７ｂの具体的な一例について図６に示す模式図を参照して説明する。補助メッセージファイル１７ｂは、複数の補助メッセージ番号（Ｎｏ）毎の各補助メッセージレコードを有する。補助メッセージファイル１７ｂは、補助メッセージ番号の欄１７ｂ−１と、商品に補助メッセージ１７ｂ−３を割り付けているか否かを示す欄１７ｂ−２と、商品データに付加する補助メッセージデータの内容を設定記憶する欄１７ｂ−３とを有する。補助メッセージ番号の欄１７ｂ−１には、Ｎｏ．１、Ｎｏ．２、…、Ｎｏ．２０等の各補助メッセージレコードを識別するための第２の識別番号である補助メッセージ番号が順番に設定記憶されている。補助メッセージ割り付けの欄１７ｂ−２は、補助メッセージ番号Ｎｏ．１、Ｎｏ．２、…、Ｎｏ．２０等に対応する補助メッセージデータが商品データに割り付けられているか否かを示す判別情報が設定記憶されている。判別情報は、例えば補助フラグＧにより記述される。補助フラグＧは、例えば「０」又は「１」に設定される。補助フラグＧが「０」であれば、補助メッセージデータが商品データに割り付けられていないことを示す。補助フラグＧが「１」であれば、補助メッセージデータが商品データに割り付けられていることを示す。補助メッセージデータの欄１７ｂ−３には、具体的な補助メッセージデータの内容が設定記憶されている。
【００２４】
フラッシュメモリ１４には、メッセージデータ管理プログラムが記憶されている。メッセージデータ管理プログラムは、ＣＰＵ１１に、商品に関するデータのうち商品データに割り付けられていないメッセージデータ、例えば添加物ファイル１７ａ又は補助メッセージファイル１７ｂをメモリカード１５から抽出させる抽出機能と、抽出機能により抽出した添加物ファイル１７ａ又は補助メッセージファイル１７ｂのメッセージデータをディスプレイ４ｂに表示させる表示機能と、ディスプレイ４ｂに表示されている添加物ファイル１７ａ又は補助メッセージファイル１７ｂ等のメッセージデータのうち削除指示を受けたデータをメモリカード１５から削除させる削除機能とを実現させる。
【００２５】
図７は本装置のＣＰＵ１１により実現する機能ブロック図を示す。抽出部１１−１は、メモリカード１５に記憶されている例えば添加物ファイル１７ａ中から商品データに割り付けられていない未使用の添加物データ（以下、未使用の添加物データと省略する）を添加物ファイル１７ａから抽出する。抽出部１１−１は、メモリカード１５に記憶されている例えば補助メッセージファイル１７ｂ中から商品データに割り付けられていない未使用の補助メッセージデータ（以下、未使用の補助メッセージデータと省略する）を補助メッセージファイル１７ｂから抽出する。
【００２６】
表示部１１−２は、抽出部１１−１により抽出された未使用の添加物データ又は未使用の補助メッセージデータをディスプレイ４ｂに表示する。  
削除部１１−３は、ディスプレイ４ｂに表示されている未使用の添加物データ又は未使用の補助メッセージデータのうち削除する指示を受けた未使用の添加物データを添加物ファイル１７ａから削除する。削除部１１−３は、ディスプレイ４ｂに表示されている未使用の補助メッセージデータのうち削除する指示を受けた未使用の補助メッセージデータを補助メッセージファイル１７ｂから削除する。
【００２７】
削除部１１−３は、ディスプレイ４ｂにより表示されている添加物ファイル１７ａに含まれる各添加物データのうち少なくとも１つの添加物データずつ削除可能とする機能と、添加物ファイル１７ａに含まれる全ての添加物データを一括して削除する機能とを含む。削除部１１−３は、ディスプレイ４ｂにより表示されている補助メッセージファイル１７ｂに含まれる各補助メッセージデータのうち少なくとも１つの補助メッセージデータずつ削除可能とする機能と、補助メッセージファイル１７ｂに含まれる全ての補助メッセージデータを一括して削除する機能とを含む。
【００２８】
次に、上記の如く構成されたプリンタにおける添加物のメッセージ管理の動作について図８に示すメッセージ管理フローチャートに従って説明する。  
ラベルプリンタ１は、操作者によって設定モードに設定される。設定モードに設定されている状態で、ＣＰＵ１１は、例えば図４に示すような添加物ファイル１７ａに含まれる添加物データの削除の指示が操作者によって入力されたか否かを判定する。添加物データの削除の指示が入力されると、ＣＰＵ１１は、フラッシュメモリ１４に記憶されているメッセージ管理プログラムを実行する。
【００２９】
抽出部１１−１は、品番ファイル１６の品番（Ｎｏ）を「Ｎｏ＝０」に設定する（ＡＣＴ１）。  
抽出部１１−１は、メモリカード１５に記憶されている添加物ファイル１７ａの添加物使用の欄１７ａ−２の添加物フラグＦを全て「Ｆ＝０」に設定する（ＡＣＴ２）。添加物フラグＦを全て「Ｆ＝０」に設定するのは、以下の処理で、各品番（Ｎｏ）の各商品データに添加物データが割り付けられているか否かの最新の状況を取得するためである。
【００３０】
抽出部１１−１は、ＡＣＴ１で設定された品番（Ｎｏ＝０）の次の品番（Ｎｏ＝１）の品番レコードを品番ファイル１６から読み出し、一時的にＲＡＭ１３に記憶する（ＡＣＴ３）。品番（Ｎｏ＝１）の品番レコードを品番ファイル１６から読み出してＲＡＭ１３に記憶するのに限らず、品番ファイル１６の全ての品番（Ｎｏ＝１〜ｍ）の各品番レコードをＲＡＭ１３に記憶し、ＲＡＭ１３上で品番（Ｎｏ＝１）の品番レコードを読み出してもよい。
【００３１】
抽出部１１−１は、品番（Ｎｏ＝１）の品番レコードから当該品番（Ｎｏ＝１）の商品データに添加物データが割り付けられているか否かを判断する（ＡＣＴ４）。具体的に抽出部１１−１は、品番（Ｎｏ＝１）の品番レコードにおける添加物番号の欄１６−５に設定記憶されている添加物番号を読み取り、添加物番号が設定記憶されていれば、品番（Ｎｏ＝１）の商品データに添加物データが割り付けられていると判断する。例えば、品番（Ｎｏ＝１）の添加物番号の欄１６−５には、図３に示すように添加物番号「５」が設定記憶されているので、抽出部１１−１は、品番（Ｎｏ＝１）の商品データに添加物データが割り付けられていると判断する。
【００３２】
抽出部１１−１は、メモリカード１５に記憶されている添加物ファイル１７ａを読み出て一時的にＲＡＭ１３に記憶する（ＡＣＴ５）。  
抽出部１１−１は、図３に示すように品番（Ｎｏ＝１）の添加物番号の欄１６−５に添加物番号「５」が設定記憶されているので、図５に示す添加物ファイル１７ａ中の添加物番号「５」に対応する添加物フラグＦを「Ｆ＝１」に設定する（ＡＣＴ６）。  
抽出部１１−１は、最終の品番（Ｎｏ＝ｍ）であるか否かを判断する（ＡＣＴ７）。品番（Ｎｏ＝１）は、最終の品番（Ｎｏ＝ｍ）でないので、抽出部１１−１は、ＡＣＴ２に戻る。
【００３３】
再び、抽出部１１−１は、次の品番（Ｎｏ＝２）の品番レコードを添加物ファイル１７ａから読み出し（ＡＣＴ３）、品番（Ｎｏ＝２）の商品データに添加物データが割り付けられているか否かを判断する（ＡＣＴ４）。品番（Ｎｏ＝２）の添加物番号の欄１６−５には、図３に示すように添加物番号「２」が設定記憶されているので、抽出部１１−１は、品番（Ｎｏ＝２）の商品データに添加物データが割り付けられていると判断する。抽出部１１−１は、メモリカード１５に記憶されている添加物ファイル１７ａを読み出し（ＡＣＴ５）、添加物ファイル１７ａ中の添加物番号「２」に対応する添加物フラグＦを「Ｆ＝１」に設定する（ＡＣＴ６）。
【００３４】
再び、抽出部１１−１は、ＡＣＴ３に戻り、次の品番（Ｎｏ＝３）の品番レコードを添加物ファイル１７ａから読み出し（ＡＣＴ３）、品番（Ｎｏ＝３）の商品データに添加物データが割り付けられているか否かを判断する（ＡＣＴ４）。品番（Ｎｏ＝３）の添加物番号の欄１６−５には、図３に示すように添加物番号「０」が設定記憶されているので、抽出部１１−１は、品番（Ｎｏ＝３）の商品データに添加物データが割り付けられていないと判断する。  
抽出部１１−１は、品番（Ｎｏ＝３）が最終の品番（Ｎｏ＝ｍ）でないので、抽出部１１−１は、再び、ＡＣＴ２に戻る。
【００３５】
以下同様に、抽出部１１−１は、ＡＣＴ２からＡＣＴ７を繰り返し、各品番の商品データに添加物データが割り付けられていれば、添加物ファイル１７ａ中の当該添加物番号に対応する添加物フラグＦを「Ｆ＝１」に設定することを繰り返す。  
この結果、添加物ファイル１７ａ中の添加物使用の欄１７ａ−２には、最新の状況の添加物フラグＦ（Ｆ＝０又は１）が設定される。図５に示す添加物ファイル１７ａは、例えば添加物番号「６」「１２」の添加物フラグＦがＦ＝０であり、添加物番号「６」「１２」の添加物データが商品データに割り付けられていない。
【００３６】
最終の品番（Ｎｏ＝ｍ）に到達すると、抽出部１１−１は、ＡＣＴ８に移る。抽出部１１−１は、商品に割り付けられてない未使用の添加物データの個数を「０」に設定する（ＡＣＴ８）。  
抽出部１１−１は、図５に示す添加物ファイル１７ａの添加物番号Ｎｏを「０」に設定する（ＡＣＴ９）。  
抽出部１１−１は、添加物番号（Ｎｏ＝０）の次の添加物番号（Ｎｏ＝１）の添加物データを添加物ファイル１７ａから読み出す（ＡＣＴ１０）。
【００３７】
抽出部１１−１は、添加物番号（Ｎｏ＝１）の添加物データのフラグＦが「０」であるか否か、すなわち添加物番号（Ｎｏ＝１）の添加物データが商品に割り付けられているか否かを判断する（ＡＣＴ１１）。添加物番号（Ｎｏ＝１）の添加物データのフラグＦは「１」であるので、抽出部１１−１は、添加物番号（Ｎｏ＝１）の添加物データが商品に割り付けられていると判断し、ＡＣＴ１５に移る。  
抽出部１１−１は、添加物番号（Ｎｏ＝１）が最終の添加物番号、例えば添加物番号（Ｎｏ＝２０）であるか否かを判断する（ＡＣＴ１５）。添加物番号（Ｎｏ＝１）は最終の添加物番号（Ｎｏ＝２０）でないので、抽出部１１−１は、再び、ＡＣＴ１０に戻る。
【００３８】
抽出部１１−１は、次の添加物番号（Ｎｏ＝２）のフラグＦ（＝１）を読み出し（ＡＣＴ１０）、フラグＦが「０」であるか否かを判断する（ＡＣＴ１１）。添加物番号（Ｎｏ＝２）のフラグＦは「１」であるので、抽出部１１−１は、添加物番号（Ｎｏ＝１）の添加物データが商品に割り付けられていると判断し、ＡＣＴ１５に移る。添加物番号（Ｎｏ＝２）は最終の添加物番号（Ｎｏ＝２０）でないので、抽出部１１−１は、再び、ＡＣＴ１０に戻る。
【００３９】
上記同様に、抽出部１１−１は、添加物番号（Ｎｏ＝３、４、５）の順に添加物データのフラグＦを読み出し、フラグＦが「０」であるか否かの判断を繰り返す（ＡＣＴ１０、１１、１５）。  
抽出部１１−１は、添加物番号（Ｎｏ＝６）に到達すると、添加物番号（Ｎｏ＝６）の添加物データを添加物ファイル１７ａから読み出す（ＡＣＴ１０）。添加物番号（Ｎｏ＝６）のフラグＦは「０」であるので、抽出部１１−１は、添加物番号（Ｎｏ＝６）の添加物データが商品に割り付けられていないと判断する（ＡＣＴ１１）。
【００４０】
抽出部１１−１は、商品に割り付けられてない未使用の添加物データの個数に「１」を加算する（ＡＣＴ１２）。商品に割り付けられてない未使用の添加物データの個数は、ＡＣＴ８において「０」に設定されているので、「１」の加算により「１」になる。  
添加物番号（Ｎｏ＝６）の添加物データは商品に割り付けられていないと判断されたので、表示部１１−２は、添加物番号（Ｎｏ＝６）の内容「調味料（アミノ酸等）、（その他小麦、大豆由来原材料を含む）」を読み出し、当該内容「調味料（アミノ酸等）、（その他小麦、大豆由来原材料を含む）」をその添加物番号（Ｎｏ＝６）とともに液晶ディスプレイ４ａに表示する（ＡＣＴ１３）。
【００４１】
抽出部１１−１は、商品に割り付けられていない添加物データの個数が予め設定された個数、例えば１０個以下であるか否かを判断する（ＡＣＴ１４）。添加物データの設定個数は、メモリカード１５やＲＡＭ１３の使用容量の削減を図るのに足り得る個数である。添加物データの設定個数は、１０個以下に限らず、添加物番号（Ｎｏ＝２０）に対応する個数、例えば１０個以下に設定してもよい。  
商品に割り付けられていない添加物データの個数が予め設定された個数よりも少なければ、抽出部１１−１は、添加物番号（Ｎｏ＝６）が最終の添加物番号（Ｎｏ＝２０）であるか否かを判断する（ＡＣＴ１５）。添加物番号（Ｎｏ＝６）は最終の添加物番号（Ｎｏ＝２０）でないので、抽出部１１−１は、再び、ＡＣＴ１０に戻る。
【００４２】
抽出部１１−１は、添加物番号（Ｎｏ＝７、８、…、１１）の順に添加物データの各フラグＦを読み出し、各フラグＦが「０」であるか否かの判断を繰り返す（ＡＣＴ１０、１１、１５）。図５に例示した添加物ファイル１７ａにおいては、添加物番号（Ｎｏ＝７、８、…、１１）の各添加物データの各フラグＦは、「１」であるので、抽出部１１−１は、添加物番号（Ｎｏ＝７、８、…、１１）の添加物データが商品に割り付けられていると判断する。
【００４３】
添加物番号（Ｎｏ＝１２）に到達すると、抽出部１１−１は、添加物ファイル１７ａ中の添加物番号（Ｎｏ＝１２）のフラグＦ（＝０）を読み出す（ＡＣＴ１０）。  
添加物番号（Ｎｏ＝１２）のフラグＦは「０」であるので、抽出部１１−１は、添加物番号（Ｎｏ＝１２）の添加物データが商品に割り付けられていないと判断し、商品に割り付けられてない添加物データの個数に「１」を加算し、「２」とする（ＡＣＴ１２）。  
表示部１１−２は、添加物番号（Ｎｏ＝１２）の内容「小麦、大豆、豚、由来原材料を含む」をその添加物番号とともにディスプレイ４に表示する（ＡＣＴ１３）。
【００４４】
抽出部１１−１は、再び、商品に割り付けられていない添加物データの個数「２」が予め設定された個数「１０」以下であるか否かを判断する（ＡＣＴ１４）。商品に割り付けられていない添加物データの個数「２」は、予め設定された個数「１０」よりも少ない。抽出部１１−１は、ＡＣＴ１５に移り、添加物番号（Ｎｏ＝１２）が最終の添加物番号（Ｎｏ＝２０）であるか否かを判断する。添加物番号（Ｎｏ＝１２）は最終の添加物番号（Ｎｏ＝２０）でないので、抽出部１１−１は、再び、ＡＣＴ１０に戻る。
【００４５】
以下同様に、抽出部１１−１は、添加物番号（Ｎｏ＝１３、１４、…、２０）の順に添加物データのフラグＦを読み出し、フラグＦが「０」であるか否かの判断を繰り返す（ＡＣＴ１０、１１、１５）。添加物番号（Ｎｏ＝１３、１４、…、２０）の各フラグＦは、それぞれ「１」である。添加物番号（Ｎｏ＝１３、１４、…、２０）の各添加物データは、商品に割り付けられている。
【００４６】
この結果、表示部１１−２は、図９に示すように例えば、添加物番号「６」、その添加物データの内容「調味料（アミノ酸等）、（その他小麦、大豆由来原材料を含む）」と、添加物番号「１２」、その添加物データの内容「小麦、大豆、豚、由来原材料を含む」とを液晶ディスプレイ４ａに表示する。  
操作者は、液晶ディスプレイ４ａの表示画面上において、削除したい例えば添加物番号「６」の添加物データを選択する。添加物番号「６」の添加物データの選択は、添加物番号「６」の添加物データに対応する液晶ディスプレイ４ａの表示画面上を操作者によりタッチする。削除部１１−３は、液晶ディスプレイ４ａの表示画面上のタッチ位置から選択された添加物番号「６」の添加物データを認識する。
【００４７】
液晶ディスプレイ４ａの表示画面上には、削除ボタン２０が表示されている。削除部１１−３は、操作者が削除ボタン２０をタッチしたか否かを判断する。  
削除ボタン２０がタッチされると、削除部１１−３は、添加物番号「６」の添加物データを添加物ファイル１７ａからＲＡＭ１３上で削除する。操作者が全削除ボタン２１をタッチすると、削除部１１−３は、全てとなる各添加物番号「６」「１２」の添加物データをＲＡＭ１３上の添加物ファイル１７ａから一括して削除する。  
商品に割り付けられていない添加物データが削除された後、ＣＰＵ１１は、ＲＡＭ１３に記憶されている添加物ファイル１７ａをメモリカード１５に上書きし、ＲＡＭ１３に記憶されている添加物ファイル１７ａをメモリカード１５に上書きする。メモリカード１５には、商品に割り付けられていない添加物データが削除された添加物ファイル１７ａが記憶される。
【００４８】
次に、商品に割り付けられていない補助メッセージファイル１７ｂのメッセージ管理の動作について図１０に示すメッセージ管理フローチャートに従って説明する。  
設定モードに設定されている状態で、ＣＰＵ１１は、例えば図６に示すような補助メッセージファイル１７ｂに含まれる補助メッセージデータの削除の指示が操作者によって入力されたか否かを判定する。補助メッセージデータの削除の指示が入力されると、ＣＰＵ１１は、フラッシュメモリ１４に記憶されているメッセージ管理プログラムを実行する。
【００４９】
抽出部１１−１は、品番ファイル１６の品番（Ｎｏ）を「Ｎｏ＝０」に設定し（ＡＣＴ２１）、メモリカード１５に記憶されている補助メッセージファイル１７ｂの補助メッセージ割り付けの欄１７ｂ−２の補助フラグＧを全て「Ｇ＝０」に設定する（ＡＣＴ２２）。補助フラグＧを全て「Ｇ＝０」に設定するのは、以下の処理で、各品番（Ｎｏ）の各商品データに補助メッセージデータが割り付けられているか否かの最新の状況を取得するためである。
【００５０】
抽出部１１−１は、ＡＣＴ２１で設定された品番（Ｎｏ＝０）の次の品番（Ｎｏ＝１）の品番レコードを品番ファイル１６から読み出し、一時的にＲＡＭ１３に記憶する（ＡＣＴ２３）。  
抽出部１１−１は、品番（Ｎｏ＝１）の品番レコードから当該品番（Ｎｏ＝１）の商品データに補助メッセージデータが割り付けられているか否かを判断する（ＡＣＴ２４）。具体的に抽出部１１−１は、品番（Ｎｏ＝１）の補助メッセージ番号の欄１６−６には、図３に示すように添加物番号「３」が設定記憶されているので、抽出部１１−１は、品番（Ｎｏ＝１）の商品データに補助メッセージデータが割り付けられていると判断する。  
抽出部１１−１は、メモリカード１５に記憶されている補助メッセージファイル１７ｂを読み出て一時的にＲＡＭ１３に記憶する（ＡＣＴ２５）。
【００５１】
抽出部１１−１は、補助メッセージファイル１７ｂ中の補助メッセージ番号「３」に対応する補助フラグＧを「Ｇ＝１」に設定する（ＡＣＴ２６）。  
抽出部１１−１は、最終の品番（Ｎｏ＝ｍ）であるか否かを判断し（ＡＣＴ２７）、品番（Ｎｏ＝１）は、最終の品番（Ｎｏ＝ｍ）でないので、抽出部１１−１は、ＡＣＴ２２に戻る。  
以下同様に、抽出部１１−１は、ＡＣＴ２２からＡＣＴ２７を繰り返し、商品データに補助メッセージデータが割り付けられていれば、補助メッセージファイル１７ｂ中の補助メッセージ番号に対応する補助フラグＧを「Ｇ＝１」に設定することを繰り返す。
【００５２】
この結果、補助メッセージファイル１７ｂ中の補助メッセージ割り付けの欄１７ｂ−２には、最新の状況の補助フラグＧ（Ｇ＝０又は１）が設定される。図６に示す補助メッセージファイル１７ｂは、例えば補助メッセージ番号「１０」の補助フラグＧがＧ＝０であり、補助メッセージ物番号「１０」の補助メッセージデータが商品データに割り付けられていない。  
最終の品番（Ｎｏ＝ｍ）に到達すると、抽出部１１−１は、ＡＣＴ８に移る。抽出部１１−１は、商品に割り付けられてない未使用の補助メッセージの個数を「０」に設定する（ＡＣＴ２８）。  
抽出部１１−１は、図６に示す添加物ファイル１７ｂの補助メッセージ番号Ｎｏを「０」に設定する（ＡＣＴ２９）。  
抽出部１１−１は、次の補助メッセージ番号（Ｎｏ＝１）の補助メッセージデータを補助メッセージファイル１７ｂから読み出す（ＡＣＴ３０）。  
抽出部１１−１は、補助メッセージ番号（Ｎｏ＝１）の補助フラグＧが「０」であるか否か、すなわち補助メッセージ番号（Ｎｏ＝１）の補助メッセージデータが商品に割り付けられているか否かを判断する（ＡＣＴ３１）。補助メッセージ番号（Ｎｏ＝１）の補助フラグＧは「０」であるので、抽出部１１−１は、補助メッセージ番号（Ｎｏ＝１）の補助メッセージデータが商品に割り付けられていないと判断する。
【００５３】
抽出部１１−１は、商品に割り付けられてない未使用の補助メッセージの個数に「１」を加算する（ＡＣＴ３２）。商品に割り付けられてない未使用の補助メッセージデータの個数は、ＡＣＴ２８において「０」に設定されているので、「１」の加算により「１」になる。  
補助メッセージ番号（Ｎｏ＝１）の補助メッセージデータは商品に割り付けられていないと判断されたので、表示部１１−２は、補助メッセージ番号（Ｎｏ＝１）に対応する補助メッセージデータの欄１７ｂ−３に設定記憶されている補助メッセージデータを液晶ディスプレイ４ａに表示する（ＡＣＴ３３）。補助メッセージ番号（Ｎｏ＝１）の補助メッセージデータの欄１７ｂ−３には、補助メッセージデータの設定記憶がないので、液晶ディスプレイ４ａには、補助メッセージデータが表示されない。
【００５４】
抽出部１１−１は、商品に割り付けられていない補助メッセージデータの個数が予め設定された個数以下であるか否かを判断する（ＡＣＴ３４）。補助メッセージデータの設定個数は、メモリカード１５やＲＡＭ１３の使用容量の削減を図るのに足り得る個数である。  
商品に割り付けられていない補助メッセージデータの個数が予め設定された個数以下であれば、抽出部１１−１は、補助メッセージ番号（Ｎｏ＝１）が最終の補助メッセージ番号、例えば補助メッセージ番号（Ｎｏ＝１０）であるか否かを判断する（ＡＣＴ３５）。補助メッセージ番号（Ｎｏ＝１）は最終の補助メッセージ番号（Ｎｏ＝１０）でないので、抽出部１１−１は、再び、ＡＣＴ３０に戻る。
【００５５】
抽出部１１−１は、次の補助メッセージ番号（Ｎｏ＝２）の補助フラグＧ（＝１）を読み出し（ＡＣＴ３０）、補助フラグＧが「０」であるか否かを判断する（ＡＣＴ３１）。補助メッセージ番号（Ｎｏ＝２）の補助フラグＧは「１」であるので、抽出部１１−１は、補助メッセージ番号（Ｎｏ＝１）の補助メッセージデータが商品に割り付けられていると判断し、ＡＣＴ３５に移る。補助メッセージ番号（Ｎｏ＝２）は最終の補助メッセージ番号（Ｎｏ＝１０）でないので、抽出部１１−１は、再び、ＡＣＴ３０に戻る。
【００５６】
上記同様に、抽出部１１−１は、補助メッセージ番号（Ｎｏ＝３、４、…、９）の順に補助メッセージデータの補助フラグＧを読み出し、補助フラグＧが「０」であるか否かの判断を繰り返す（ＡＣＴ３０、３１、３５）。  
補助メッセージ番号（Ｎｏ＝１０）に到達すると、抽出部１１−１は、補助メッセージ番号（Ｎｏ＝１０）の補助メッセージデータを補助メッセージファイル１７ｂから読み出す（ＡＣＴ３０）。
【００５７】
抽出部１１−１は、補助メッセージ番号（Ｎｏ＝１０）の補助フラグＧが「０」であるか否かを判断する（ＡＣＴ３１）。図６に例示した補助メッセージファイル１７ｂにおいては、補助メッセージ番号（Ｎｏ＝１０）の補助フラグＧは「０」であるので、抽出部１１−１は、補助メッセージ番号（Ｎｏ＝１０）の補助メッセージデータが商品に割り付けられていないと判断する。  
抽出部１１−１は、商品に割り付けられてない未使用の補助メッセージの個数に「１」を加算して「２」とする（ＡＣＴ３２）。
【００５８】
表示部１１−２は、補助メッセージ番号（Ｎｏ＝１０）に対応する補助メッセージデータの欄１７ｂ−３に設定記憶されている補助メッセージデータ、例えば図６に例示した補助メッセージファイル１７ｂにおいては、「ビールのお供に」というメッセージを補助メッセージ番号（Ｎｏ＝１０）とともに液晶ディスプレイ４ａに表示する（ＡＣＴ３３）。  
抽出部１１−１は、商品に割り付けられていない補助メッセージデータの個数が予め設定された個数以下であるか否かを判断し（ＡＣＴ３４）、商品に割り付けられていない補助メッセージデータの個数が予め設定された個数以下であれば、ＡＣＴ３５に移る。
【００５９】
この結果、表示部１１−２は、図１１に示すように例えば、補助メッセージ番号「１」、その補助メッセージの内容「設定なし」と、補助メッセージ番号「１０」、その補助メッセージデータの内容「ビールのお供に」とを液晶ディスプレイ４ａに表示する。  
操作者は、液晶ディスプレイ４ａの表示画面上において、液晶ディスプレイ４ａの表示画面上を操作者によりタッチし、削除したい例えば補助メッセージ番号「１０」の補助メッセージデータを選択する。削除部１１−３は、液晶ディスプレイ４ａの表示画面上のタッチ位置から選択された補助メッセージ番号「１０」の補助メッセージデータを認識する。
【００６０】
削除部１１−３は、操作者が削除ボタン２０をタッチしたか否かを判断する。削除ボタン２０がタッチされると、削除部１１−３は、補助メッセージ番号「１０」の補助メッセージデータを補助メッセージファイル１７ｂから削除する。操作者が全削除ボタン２１をタッチすると、削除部１１−３は、図９に示した表示例において、全てとなる各補助メッセージ番号「１」「１０」の補助メッセージデータを補助メッセージファイル１７ｂから一括して削除する。
【００６１】
商品に割り付けられていない補助メッセージデータが削除された後、ＣＰＵ１１は、ＲＡＭ１３に記憶されている補助メッセージファイル１７ｂをメモリカード１５に上書きし、ＲＡＭ１３に記憶されている補助メッセージファイル１７ｂをメモリカード１５に上書きする。メモリカード１５には、商品に割り付けられていない補助メッセージデータが削除された補助メッセージファイル１７ｂが記憶される。
【００６２】
なお、表示部１１−２は、図１２に示すように補助メッセージファイル１７ｂに設定記憶されている全ての補助メッセージデータを液晶ディスプレイ４ａに表示してもよい。この場合、液晶ディスプレイ４ａの表示画面上には、未使用リストボタン２２が表示されている。未使用リストボタン２２は、全ての補助メッセージから商品に割り付けられていない未使用の補助メッセージデータを選択するためのボタンである。
【００６３】
操作者が未使用リストボタン２２をタッチすると、抽出部１１−１は、上記同様に、図１０に示すように商品に割り付けられていない未使用の補助メッセージデータ、例えば補助メッセージ番号「１」、その補助メッセージの内容「空白（設定なしの意味）」と、補助メッセージ番号「１０」、その補助メッセージデータの内容「ビールのお供に」とを液晶ディスプレイ４ａに表示する。  
操作者は、液晶ディスプレイ４ａの表示画面上において、液晶ディスプレイ４ａの表示画面上を操作者によりタッチし、削除したい例えば補助メッセージ番号「１０」の補助メッセージデータを選択する。削除部１１−３は、液晶ディスプレイ４ａの表示画面上のタッチ位置から選択された補助メッセージ番号「１０」の補助メッセージデータを認識する。  
削除部１１−３は、操作者が削除ボタン２０をタッチしたか否かを判断する。削除ボタン２０がタッチされると、削除部１１−３は、補助メッセージ番号「１０」の補助メッセージデータを補助メッセージファイル１７ｂから削除する。
【００６４】
このように上記一実施の形態によれば、商品データに割り付けられていない付加メッセージデータ１７、例えば添加物ファイル１７ａの添加物データ又は補助メッセージファイル１７ｂの補助メッセージデータを抽出し、商品に割り付けられていない添加物データ又は補助メッセージデータを確認し、削除の指示を受けた添加物データ又は補助メッセージデータを削除できる。削除するデータは、添加物データ又は補助メッセージデータのいずれか一方又は両方を選択できる。添加物データ又は補助メッセージデータを削除することにより、メモリカード１５やＲＡＭ１３の使用容量の削減を図ることができる。
【００６５】
特に、添加物ファイル１７ａに記憶されている各添加物データは、それぞれ複数の商品に割り付けられることが多い。多数の添加物データのうち商品に割り付けられていない添加物データを確認して削除することができる。  
添加物データは、食品等の多数の商品に割り付けられるので、メモリカード１５やＲＡＭ１３の各メモリ領域に占める割合が多くなる。このため、メモリカード１５やＲＡＭ１３における使用可能なメモリ領域を圧迫するようになる。商品に割り付けられていない添加物ファイル１７ａを削除することにより、メモリカード１５やＲＡＭ１３における使用可能なメモリ容量を大きくできる。
【００６６】
なお、上記実施形態は、そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
例えば、上記実施の形態では、付加メッセージデータとして添加物ファイル１７ａと補助メッセージファイル１７ｂとをメモリカード１５から抽出、表示し、削除することについて説明した。実施の形態は、これに限らない。付加メッセージデータは、例えば産地データ、保存温度のデータ、保存方法のデータ、商品のコマーシャルメッセージのデータ、商品を料理するときのレシピ、食品等の商品の栄養素やカロリー、タンパク質の成分であるアミノ酸に関するデータもある。実施の形態は、当該各データをメモリカード１５から抽出してディスプレイ４ｂに表示し、これら付加メッセージデータのうち削除指示を受けたデータを削除するようにしてもよい。
【符号の説明】
【００６７】
１：ラベルプリンタ、２：プリンタ本体、３：操作部、４：表示部、４ａ：液晶ディスプレイ（ＬＣＤ）、４ｂ：タッチパネル、５：プリンタユニット、５ａ：排出口、６：重量計測器、６ａ：秤台、７：電源スイッチ、１０：プリント制御回路、１１：ＣＰＵ、１２：バス、１３：ＲＡＭ、１４：フラッシュメモリ、１５：メモリカード、１６：品番ファイル、１７：メッセージファイル、１７ａ：添加物ファイル、１７ｂ：補助メッセージファイル、１１−１：抽出部、１１−２：表示部、１１−３：削除部、２０：削除ボタン、２１：全削除ボタン、２２：未使用リストボタン。
【図１】
2011031607.tif 000003
【図２】
2011031607.tif 000004
【図３】
2011031607.tif 000005
【図４】
2011031607.tif 000006
【図５】
2011031607.tif 000007
【図６】
2011031607.tif 000008
【図７】
2011031607.tif 000009
【図８】
2011031607.tif 000010
【図９】
2011031607.tif 000011
【図１０】
2011031607.tif 000012
【図１１】
2011031607.tif 000013
【図１２】
2011031607.tif 000014